(57)【要約】【課題】少量の炭酸ガスでも効率的に人体の皮膚から吸収させることが可能な炭酸ガス浴用カバーを提供する。【解決手段】所定値以上の濃度の炭酸ガスを水蒸気を含ませた状態で封入して人体の皮膚に直接接触させ、その人体の血管を拡張させ血液循環を改善させる炭酸ガス浴用カバーであって、人体の皮膚を覆い、炭酸ガス浴用カバー内に炭酸ガス及び水蒸気を溜める空間１４を形成するカバー部材１１と、そのカバー部材１１の周縁に設けられ、カバー部材１１を人体の皮膚の貼着するための貼着部１２と、カバー部材１１内部に炭酸ガス及び水蒸気を導入するためこのカバー部材１１により形成された空間１４と連通し、内部に逆流防止弁を有する炭酸ガス供給口１３とを備え、カバー部材１１及び貼着部１２が内部に炭酸ガス及び水蒸気を貯留可能なフラット形状のパッチを構成する。【選択図】図１
0003144718.tif 000002
【実用新案登録請求の範囲】
【請求項１】
所定値以上の濃度の炭酸ガスに水蒸気を含ませた状態で封入して人体の皮膚に直接接触させることにより、該人体の血管を拡張させ血液循環を改善させるための炭酸ガス浴用カバーであって、
前記人体の皮膚を覆い、前記炭酸ガス浴用カバー内に炭酸ガス及び水蒸気を溜める空間を形成するカバー部材と、
該カバー部材の周縁に設けられ、該カバー部材を前記人体の皮膚の貼着するための貼着部と、
前記カバー部材内部に炭酸ガス及び水蒸気を導入するため該カバー部材により形成された前記空間と連通し、内部に逆流防止弁を有する炭酸ガス供給口と、
を備え、
前記カバー部材及び前記貼着部が内部に炭酸ガス及び水蒸気を貯留可能なフラット形状のパッチを構成することを特徴とする炭酸ガス浴用カバー。
【請求項２】
前記炭酸ガス浴用カバーを人体に固定するための固定手段をさらに備えることを特徴とする請求項１に記載の炭酸ガス浴用カバー。
【請求項３】
前記固定手段がゴム、紐、面ファスナー、ワンタッチバックルのうち何れか一つまたは複数の組み合わせより構成されることを特徴とする請求項２に記載の炭酸ガス浴用カバー。
【請求項４】
前記カバー部材は天然ゴム、シリコンゴム、ポリエチレン、ポリプロピレン、ポリ塩化ビニリデン、ポリスチレン、ポリ酢酸ビニル、ポリ塩化ビニル、ポリアミド系樹脂、ポリテトラフルオロエチレンのうち何れか一つまたは複数の組み合わせにより形成されることを特徴とする請求項１に記載の炭酸ガス浴用カバー。
【考案の詳細な説明】
【技術分野】
【０００１】
本考案は、炭酸ガスを人体（動物も含む）の皮膚に直接接触させて血液循環を改善させるための炭酸ガス浴に用いる炭酸ガス浴用カバーに関する。
【背景技術】
【０００２】
従来から、炭酸ガス（二酸化炭素：ＣＯ２）は生体の皮膚に触れるだけでその皮下に浸透し、浸透部位の血管を拡張させて血液循環を改善する作用があることが知られている。そしてこの血行促進作用により、血圧降下、代謝の改善、疼痛物質や老廃物の排除促進等、様々な生理的効果を発揮する。このため、近年、炭酸ガス浴は医療目的のほか、健康増進、美容促進といった点からも広く注目を集めている。
【０００３】
炭酸ガスを人体の比較的狭い局所に吸収させるための従来技術としては、例えば、袋体や筒状体、一部開口を有する容器等からなる密閉包囲材を人体の局所に装着し、炭酸ガスの経皮吸収を助ける吸収補助材を封入して密閉包囲材内を密閉し、その密閉包囲材内に炭酸ガスを導入して炭酸ガス浴を行う二酸化炭素外用投与装置（特許文献１参照）が開示されている。
【特許文献１】再公表特許ＷＯ２００４／００２３９３号公報
【考案の開示】
【考案が解決しようとする課題】
【０００４】
しかしながら、上記特許文献１に開示された従来の炭酸ガス浴のための装置では、炭酸ガスを封入する袋体や容器（密閉包囲材）の容積が大きく、容器全体に充満させると炭酸ガスを大量に消費してしまうという問題があった。しかし、装置を実用化するためには様々な使用者の体型に対応できるように、袋体や容器の大きさにある程度余裕を持たせることは不可欠である。そのため炭酸ガスの密閉空間をコンパクトにするのは難しく、結果として炭酸ガスの消費量を抑えることは困難だった。
【０００５】
本考案は、上記従来の問題点に鑑みて、フラット形状のパッチを用いることにより少量の炭酸ガスでも効率的に生体の皮膚から吸収させることが可能な炭酸ガス浴用カバーを提供することを目的とする。
【課題を解決するための手段】
【０００６】
上記課題を解決するために、本考案は、所定値以上の濃度の炭酸ガスを水蒸気を含ませた状態で封入して人体の皮膚に直接接触させることにより、その人体の血管を拡張させ血液循環を改善させるための炭酸ガス浴用カバーであって、前記人体の皮膚を覆い、前記炭酸ガス浴用カバー内に炭酸ガス及び水蒸気を溜める空間を形成するカバー部材と、そのカバー部材の周縁に設けられ、このカバー部材を前記人体の皮膚の貼着するための貼着部と、前記カバー部材内部に炭酸ガス及び水蒸気を導入するためこのカバー部材により形成された前記空間と連通し、内部に逆流防止弁を有する炭酸ガス供給口と、を備え、前記カバー部材及び前記貼着部が内部に炭酸ガス及び水蒸気を貯留可能なフラット形状のパッチを構成することを特徴とする炭酸ガス浴用カバーを提供するものである。
【０００７】
ここで、前記炭酸ガス浴用カバーを人体に固定するための固定手段をさらに備えるのが好適である。この固定手段は、ゴム、紐、面ファスナー、ワンタッチバックルのうち何れか一つまたは複数の組み合わせより構成されるのが好ましい。
【０００８】
また、前記カバー部材は、天然ゴム、シリコンゴム、ポリエチレン、ポリプロピレン、ポリ塩化ビニリデン、ポリスチレン、ポリ酢酸ビニル、ポリ塩化ビニル、ポリアミド系樹脂、ポリテトラフルオロエチレンのうち何れか一つまたは複数の組み合わせにより形成されるのが好適である。
【考案の効果】
【０００９】
本考案の炭酸ガス浴用カバーによれば、炭酸ガスを導入する密閉空間をフラットな形状のパッチ内とすることにより、少量の炭酸ガスでも効率的に経皮吸収させることが可能となる。また、フラット形状のパッチであれば人体の様々な部位に適用できる。
【考案を実施するための最良の形態】
【００１０】
以下、本考案の実施の形態について、図面を参照しながら詳細に説明する。
【００１１】
図１は、本考案の一実施形態に係る炭酸ガス浴用カバーの全体概略図、図２は、その炭酸ガス浴用カバーを人体に装着した状態を示す模式図である。また図３は、その炭酸ガス浴用カバーにおけるカバー本体の縦断面模式図である。
【００１２】
本実施形態に係る炭酸ガス浴用カバーは、これらの図に示すように、人体の皮膚を覆うフラット形状のパッチを構成するカバー部材１１と、そのカバー部材１１の周縁に設けられる皮膚への貼着部１２と、カバー部材１１に設けられ、このカバー部材１１内に炭酸ガスを供給可能にする炭酸ガス供給口１３とからなるカバー本体１０と、人体の所望の部位に確実に固定するための止着ベルト２１とベルト止め部２２からなる固定手段２０とから構成される。
【００１３】
カバー本体１０のカバー部材１１は、人体の皮膚を覆い、図３に示すように炭酸ガス浴用カバーと皮膚の間に炭酸ガスを溜める空間１４を形成可能にする。カバー部材１１は、非通気性素材の織布または不織布等から構成される。例えば、天然ゴム、シリコンゴム、ポリエチレン、ポリプロピレン、ポリ塩化ビニリデン、ポリスチレン、ポリ酢酸ビニル、ポリ塩化ビニル、ポリアミド系樹脂、ポリテトラフルオロエチレン等からなるのが好適である。
【００１４】
カバー部材１１が形成する空間１４には、例えば炭酸ガスボンベ等からの炭酸ガスを供給する。なお、炭酸ガスは水蒸気とともに供給されることにより皮膚からの吸収が高まることが従来から知られている。そこで炭酸ガスは水蒸気を含んだ状態で供給する。水蒸気は、微細なミスト状にして供給するのが好ましく、そのミストの粒径は１０μｍ以下であるのが最適である。また、水蒸気には、メンソール等の清涼作用を生じさせる薬剤や、血行をより促進させるビタミンＥ、美肌効果の高いビタミンＣ、炭酸ガスの臭気を除去するためのシクロデキストリン、皮膚表面に付着している細菌等を殺菌するための薬剤（例えば光触媒とアパタイトの複合体）等をさらに混合して供給し、炭酸ガスの生理作用との相乗効果を生じさせることも可能である。
【００１５】
また、カバー部材１１が形成する空間１４には、炭酸ガス濃度計や圧力計を挿入しても良い。
【００１６】
カバー部材１１の周縁には、カバー本体１０内の炭酸ガスや水蒸気等の漏出を防ぐために貼着部１２が設けられている。貼着部１２の人体の皮膚に接触する側には、皮膚に粘着する素材が配置される。この粘着素材は、例えばポリウレタンやシリコンゴム等からなる粘弾性ゲルであるのが好ましい。また、この粘着素材は取り外し可能なものを用いて、使用の都度あるいは粘性が弱くなれば交換できる構成が最適である。
【００１７】
炭酸ガス供給口１３は、カバー本体１０内の空間１４に炭酸ガス（及び水蒸気等）を導入するため、カバー本体１０内の空間１４と連通して設けられている。この炭酸ガス供給口１３に炭酸ガスボンベやミスト発生器等を接続して、カバー本体１０内に炭酸ガス及び水蒸気等を供給する。なお、供給した炭酸ガス（及び水蒸気等）の逆流を防止するため、この炭酸ガス供給口１３内部には逆流防止弁が配置されている。
【００１８】
本実施形態では、固定手段を止着ベルト２１及びベルト止め部２２とから構成する。止着ベルト２１は、様々な使用者の体型や使用個所に対応するために、ゴム等の伸縮性を有する素材から構成されるのが好ましい。図では四本の止着ベルト２１が配置され、上下二か所で固定する例を示しているが、カバー本体１０の形状等に合わせて配置する数や場所を調整する。ベルト止め部２２は、止着ベルト２１の着脱が容易なワンタッチバックル等が望ましい。また、止着ベルト２１のベルト長さを容易に調節できるアジャスター等をさらに備えるようにしても良い。
【００１９】
以下、本実施形態に係る炭酸ガス浴カバーを用いた炭酸ガス浴の方法を説明する。まず、貼着部１２によりカバー本体１０を使用者の所望の部位に貼り付け、カバー本体１０内を略密閉状態とする。このとき、できるだけカバー本体１０の内側の空気を抜いた状態で貼着するようにする。次いで、炭酸ガスボンベやミスト発生器等をチューブ等を介して炭酸ガス供給口１３に接続する。さらに止着ベルト２１をベルト止め部２２で止着して、カバー本体１０を使用者の体に固定する。そして、炭酸ガス及び水蒸気を、炭酸ガス供給口１３を介してカバー本体１０内に供給する。カバー本体１０内の空間１４に炭酸ガスが十分に充填されたら炭酸ガス及び水蒸気の供給を停止し、この状態で炭酸ガス浴を行う。
【００２０】
なお、上記実施形態に係る図面においてはカバー本体１０を矩形に図示したが、貼着する人体の箇所に合わせて様々な形状（例えば肩及び背中用に、コの字形状等）を採用することができる。また、貼着部１２の形状も様々なものが考えられる。図４に貼着部の形状の一例を示す。図４（ａ）に示すように、カバー部材３１Ａと貼着部３２Ａの周縁部の形状を略相似にしても良いし、図４（ｂ）、図４（ｃ）に示すようにカバー部材３１Ｂ、３１Ｃと貼着部３２Ｂ、３２Ｃの周縁部を全く別の形状としても良い。さらに、図４（ｄ）に示すように、カバー部材３１Ｄを囲んで複数（ここでは例として二つ）の貼着部３２Ｄ１、３２Ｄ２を設けるようにしても良い。
【００２１】
また、上記実施形態では、炭酸ガス浴用カバーの固定手段を止着ベルト２１とベルト止め部２２から構成したが、このほかにも様々な態様を採用することができる。図５に固定手段の構成の一例を示す。図５（ａ）は、紐４１Ａを設け、これを適切な位置で結んでカバー本体４０を固定する例である。図５（ｂ）で、ゴムベルト４１Ｂと面ファスナー４１Ｂを設け、これを適切な位置で貼り合わせてカバー本体４０を固定する例である。図５（ｃ）は、伸縮性を有するとともに、少なくとも炭酸ガス供給口４３を露出する開口４２Ｃが設けられたサポーター４１Ｃをカバー本体４０に被せて固定する例である。
【００２２】
さらに、上記実施形態では、炭酸ガス浴用カバーを人体に適用する例を示したが、人体以外に動物に用いても良い。
【００２３】
上記のように構成したため、本考案によれば、炭酸ガスを導入する密閉空間をフラットな形状のパッチ内とすることにより、少量の炭酸ガスでも効率的に経皮吸収させることが可能となる。また、フラット形状のパッチであれば人体の様々な部位に適用できる。
【００２４】
以上、本考案の実施形態について説明したが、本考案は上記実施形態に限定されるものではなく、本考案の趣旨に基づき種々の変形が可能であり、これらを本考案の範囲から排除するものではない。
【産業上の利用可能性】
【００２５】
本考案は、炭酸ガスを人体の皮膚に直接接触させて血液循環を改善させるための炭酸ガス浴に用いる炭酸ガス浴用カバーに関し、産業上の利用可能性を有する。
【図面の簡単な説明】
【００２６】
【図１】本考案の一実施形態に係る炭酸ガス浴用カバーの全体概略図である。
【図２】本考案の一実施形態に係る炭酸ガス浴用カバーを人体に装着した状態を示す模式図である。
【図３】本考案の一実施形態に係る炭酸ガス浴用カバーにおけるカバー本体の縦断面模式図である。
【図４】本考案の一実施形態に係る炭酸ガス浴用カバーの貼着部の形状の一例を示す模式図である。
【図５】本考案の一実施形態に係る炭酸ガス浴用カバーの固定手段の構成の一例を示す模式図である。
【符号の説明】
【００２７】
１０、４０      カバー本体
１１、３１Ａ、３１Ｂ、３１Ｃ、３１Ｄ      カバー部材
１２、３２Ａ、３２Ｂ、３２Ｃ、３２Ｄ１、３２Ｄ２      貼着部
１３、４３      ガス供給口
１４      空間
２０      固定手段
２１      止着ベルト
２２      ベルト止め部
４１Ａ    紐
４１Ｂ    ゴムベルト
４１Ｃ    サポーター
４２Ｂ    面ファスナー
４２Ｃ    開口
【図１】
0003144718.tif 000003
【図２】
0003144718.tif 000004
【図３】
0003144718.tif 000005
【図４】
0003144718.tif 000006
【図５】
0003144718.tif 000007